(57)【要約】  【課題】  読み取り条件の違いに応じた適切なシェーディング補正を行えるようにする。  【解決手段】  スキャナ装置は、光源として複数の白色ＬＥＤを並べて構成した白色ＬＥＤアレイを有している。第１の白基準板６５の白基準面６５ａを原稿固定読み取り時の原稿面の位置(第１の高さＨ１)と一致させると共に、第２の白基準板６６の白基準面６６ａを原稿流し読み取り時の原稿面の位置(第２の高さＨ２)と一致させるように、第１の白基準板６５および第２の白基準板６６を取り付ける。そして、第１のプラテンガラス７２Ａ上に原稿を載置して画像を読み取る原稿固定読み取りを行う場合には第１の白基準板６５を、原稿送り装置にて原稿を搬送しながら画像を読み取る原稿流し読み取りを行う場合には第２の白基準板６６を読み取ってシェーディングデータを取得する。  【選択図】  図１１
2005277581.tif 000002
【特許請求の範囲】
【請求項１】
原稿を載置する載置手段と、
原稿を搬送する搬送手段と、
前記載置手段に載置された原稿を読み取り、前記搬送手段により搬送される原稿の画像を読み取る読み取り手段と、
前記載置手段に載置される原稿の原稿面に対応する位置に設けられた第１の基準部材と、
前記搬送手段により搬送される原稿の原稿面に対応する位置に設けられた第２の基準部材と、
前記第１の基準部材または前記第２の基準部材を読み取ることによって、原稿の画像を読み取って得られる画像データを補正するためのシェーディングデータを取得するシェーディングデータ取得手段と
を備えることを特徴とする画像読み取り装置。
【請求項２】
前記読み取り手段にて読み取られた原稿の画像データを、前記シェーディングデータ取得手段にて取得されたシェーディングデータを用いて補正するシェーディング補正手段をさらに備えることを特徴とする請求項１記載の画像読み取り装置。
【請求項３】
前記読み取り手段は、原稿に複数の点光源からなる光源より光を照射し、当該原稿からの反射光を受光素子にて受光することを特徴とする請求項１記載の画像読み取り装置。
【請求項４】
前記載置手段に載置される原稿の原稿面に対応する位置と前記搬送手段により搬送される原稿の原稿面の位置とは、その高さが異なることを特徴とする請求項１記載の画像読み取り装置。
【請求項５】
前記第１の基準部材および前記第２の基準部材は、光を透過する透過部材を介して前記光源と対向する側に取り付けられることを特徴とする請求項１記載の画像読み取り装置。
【請求項６】
前記搬送手段は、前記透過部材の上面から所定距離だけ離れた位置を通過するように原稿を移動させることを特徴とする請求項５記載の画像読み取り装置。
【請求項７】
前記透過部材が、原稿を載置する前記載置手段を構成することを特徴とする請求項５記載の画像読み取り装置。
【請求項８】
原稿に光を照射する光源と当該光源にて照射された当該原稿からの反射光を読み取る読み取り部とを有し、透過部材上に載置される原稿に形成された画像を第１の読み取り位置で読み取る原稿固定読み取りを実行すると共に、搬送される原稿に形成された画像を当該第１の読み取り位置とは異なる第２の読み取り位置で読み取る原稿流し読み取りを実行する読み取りユニットと、
前記第１の読み取り位置に対応する位置にて前記読み取り部を用いて読み取られる原稿固定読み取り用の基準部材と、
前記第２の読み取り位置に対応する位置にて前記読み取り部を用いて読み取られる原稿流し読み取り用の基準部材と
を含む画像読み取り装置。
【請求項９】
前記原稿固定読み取り用の基準部材は前記第１の読み取り位置における原稿の読み取り面と略同じ高さに配置され、前記原稿流し読み取り用の基準部材は前記第２の読み取り位置における原稿の読み取り面と略同じ高さに配置されることを特徴とする請求項８記載の画像読み取り装置。
【請求項１０】
前記光源は、ＬＥＤ(Light Emitting Diode)を複数並べて構成されるＬＥＤアレイからなることを特徴とする請求項８記載の画像読み取り装置。
【発明の詳細な説明】
【技術分野】
【０００１】
本発明は、原稿上の画像を読み取る画像読み取り装置に係り、より詳しくは、シェーディング補正を行うための基準部材を有する画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、主走査方向に延設される光源を用いて原稿に光を照射し、照射された原稿から反射した反射光を読み取り部にて読み取っている。
このような従来の画像読み取り装置における読み取り方式としては、プラテンガラス上に原稿を載置し、原稿を固定しつつ読み取り部を移動させながら原稿の画像を読み取る所謂プラテンスキャン方式(原稿固定読み取り方式)と、プラテンガラスの下側に読み取り部を固定しつつ原稿を移動させながら原稿の画像を読み取る所謂ＣＶＴ(Constant Velocity Transport)方式(原稿流し読み取り方式)とが知られている(特許文献１参照。)。そして、現在では、読み取り部を共用化し、プラテンスキャン方式およびＣＶＴ方式にて原稿の画像を読み取り可能とした画像読み取り装置が実用化されている。
【０００３】
また、この種の画像読み取り装置では、主走査方向の位置によって光源から照射される光量にばらつきがあったり、また、経時的に光源の光量が変動したりするといった事態が生じ得る。このような光量のばらつきや変動が生じると、例えばハーフトーンの画像が一様に形成された原稿を読み取った場合に、出力される画像信号が光源の光量に応じたばらつきを有する不均一なものとなってしまう。
そこで、主走査方向に延びる白色の部材(白基準部材)を光源の光照射方向に対向配置すると共に、この白基準部材に対して光源から光を照射し、白基準部材から反射した反射光を読み取り部にて読み取り、原稿の搬送方向に直交する方向の照度分布に対応する補正用データ(シェーディングデータ)を予め取得しておく手法が広く用いられている(例えば、特許文献２参照。)。そして、実際の原稿読み取り動作時には、原稿を読み取って得られた画像データを、シェーディングデータを用いて補正(シェーディング補正)することで、光源の照度分布に起因するむらを除去している。
【０００４】
【特許文献１】特開２００１−２２３８３２号公報(第２頁、図２)
【特許文献２】特開２００１−３１３７９４号公報(第３-４頁、図３)
【発明の開示】
【発明が解決しようとする課題】
【０００５】
ところで、上述したＣＶＴ方式の場合には、プラテンガラスの下側に読み取り部を固定するため、このプラテンガラス上に異物の付着等が生じると、読み取られる画像に副走査方向の黒筋が発生してしまい、読み取り画像の画質劣化を招いてしまう。このような不具合の発生を防止するには、ＣＶＴ方式にて原稿の画像を読み取る場合に、プラテンガラスから原稿を浮かせた状態で搬送することで、プラテンガラスに対する異物の付着を抑制することが考えられる。
【０００６】
しかしながら、上述した対策を採用すると、プラテンスキャン方式による原稿読み取りの場合とＣＶＴ方式による原稿読み取りの場合とで、光源と原稿と間の距離が異なってしまうため、光源から原稿に照射される光の照度分布に違いが生じてしまう。このように照度分布に差異が生じるような場合に、同じシェーディングデータを用いてシェーディング補正を行うと、一方は問題なく補正できたとしても、他方は照度分布の違いに起因するむらを除去しきれなくなってしまうおそれがあった。
特に、最近では、光源として多数のＬＥＤ(Light Emitting Diode)を並べて構成したＬＥＤアレイが用いられるようになってきており、このような点光源を複数並べて構成した光源の場合には、照度分布が波を打った形状となるため、光源からの距離によってその照度分布の形状が大きく異なってしまい、主走査方向に対して縞状の画像むらが生じてしまう。
【０００７】
本発明は、かかる技術的課題を解決するためになされたものであって、その目的とするところは、読み取り条件の違いに応じた適切なシェーディング補正を行えるようにすることにある。
【課題を解決するための手段】
【０００８】
かかる目的のもと、本発明が適用される画像読み取り装置は、原稿を載置する載置手段と、原稿を搬送する搬送手段と、載置手段に載置された原稿を読み取り、搬送手段により搬送される原稿の画像を読み取る読み取り手段と、載置手段に載置される原稿の原稿面に対応する位置に設けられた第１の基準部材と、搬送手段により搬送される原稿の原稿面に対応する位置に設けられた第２の基準部材と、第１の基準部材または第２の基準部材を読み取ることによって、原稿の画像を読み取って得られる画像データを補正するためのシェーディングデータを取得するシェーディングデータ取得手段とを備えることを特徴としている。
【０００９】
ここで、読み取り手段にて読み取られた原稿の画像データを、シェーディングデータ取得手段にて取得されたシェーディングデータを用いて補正するシェーディング補正手段をさらに備えることを特徴とすることができる。また、読み取り手段は、原稿に複数の点光源からなる光源より光を照射し、原稿からの反射光を受光素子にて受光することを特徴とすることができる。さらに、載置手段に載置される原稿の原稿面に対応する位置と搬送手段により搬送される原稿の原稿面の位置とは、その高さが異なることを特徴とすることができる。また、第１の基準部材および第２の基準部材は、光を透過する透過部材を介して光源と対向する側に取り付けられることを特徴とすることができる。さらに、搬送手段は、透過部材の上面から所定距離だけ離れた位置を通過するように原稿を移動させることを特徴とすることができる。さらにまた、透過部材が、原稿を載置する載置手段を構成することを特徴とすることができる。
【００１０】
また、他の観点から捉えると、本発明が適用される画像読み取り装置は、原稿に光を照射する光源と光源にて照射された原稿からの反射光を読み取る読み取り部とを有し、透過部材上に載置される原稿に形成された画像を第１の読み取り位置で読み取る原稿固定読み取りを実行すると共に、搬送される原稿に形成された画像を第１の読み取り位置とは異なる第２の読み取り位置で読み取る原稿流し読み取りを実行する読み取りユニットと、第１の読み取り位置に対応する位置にて読み取り部を用いて読み取られる原稿固定読み取り用の基準部材と、第２の読み取り位置に対応する位置にて読み取り部を用いて読み取られる原稿流し読み取り用の基準部材とを含んでいる。
【００１１】
ここで、原稿固定読み取り用の基準部材は第１の読み取り位置における原稿の読み取り面と略同じ高さに配置され、原稿流し読み取り用の基準部材は第２の読み取り位置における原稿の読み取り面と略同じ高さに配置されることを特徴とすることができる。また、光源は、ＬＥＤ(Light Emitting Diode)を複数並べて構成されるＬＥＤアレイからなることを特徴とすることができる。
【発明の効果】
【００１２】
本発明によれば、読み取り条件に違いに応じた適切なシェーディング補正を行えるようにすることができる。
【発明を実施するための最良の形態】
【００１３】
以下、添付図面を参照して、本発明を実施するための最良の形態(以下、実施の形態という)について詳細に説明する。
―実施の形態１―
図１は本実施の形態が適用される画像読み取り装置を示した図である。この画像読み取り装置は、大きく、積載された原稿束から原稿を順次、搬送する搬送手段としての原稿送り装置１０、スキャンによって画像を読み込むスキャナ装置７０、および、読み込まれた画像信号を処理する処理装置８０に大別される。
【００１４】
原稿搬送部としての原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、搬送路としての第１搬送路３１には、搬送される原稿のループ状態に応じて支点を中心として回動するバッフル４１を備えている。更に、プラテンロール１９とアウトロール２０との間には、ＣＩＳ(Contact Image Sensor)５０を備えている。
【００１５】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１６】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２のプラテンガラス７２Ｂ(後述)に押圧されて、下面方向から画像データが読み込まれる。
【００１７】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１８】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、装置フレーム７１に、画像を読み込むべき原稿を静止させた状態で載置する載置手段あるいは透過部材としての第１のプラテンガラス７２Ａ、原稿送り装置１０によって搬送中の原稿を読み取るための光の開口部を形成する第２のプラテンガラス７２Ｂが設けられている。なお、本実施の形態では、スキャナ装置７０に対して原稿送り装置１０が奥側を支点に揺動自在に取り付けられており、第１のプラテンガラス７２Ａ上に原稿をセットする際には、原稿送り装置１０を持ち上げて原稿を載置し、その後、原稿送り装置１０をスキャナ装置７０側に降ろして押し付けるようになっている。また、本実施の形態では、第１のプラテンガラス７２Ａと第２のプラテンガラス７２Ｂとがそれぞれ別の個体として設けられているが、これらを一体のプラテンガラスとして構成することも可能である。
【００１９】
また、スキャナ装置７０は、第２のプラテンガラス７２Ｂの下に静止し、および第１のプラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する光源としての白色ＬＥＤ(Light Emitting Diode)アレイ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換する受光素子としてのＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。これらフルレートキャリッジ７３、白色ＬＥＤアレイ７４、ハーフレートキャリッジ７５、第１ミラー７６Ａ、第２ミラー７６Ｂ、第３ミラー７６Ｃ、結像用レンズ７７、ＣＣＤイメージセンサ７８によって読み取り手段(読み取りユニット)が構成され、フルレートキャリッジ７３、ハーフレートキャリッジ７５、第１ミラー７６Ａ、第２ミラー７６Ｂ、第３ミラー７６Ｃ、結像用レンズ７７、ＣＣＤイメージセンサ７８によって読み取り部が構成される。なお、白色ＬＥＤアレイ７４の構成については後述する。
【００２０】
第１のプラテンガラス７２Ａに載置された原稿の画像を読み取る原稿固定読み取りの場合には、フルレートキャリッジ７３とハーフレートキャリッジ７５とが、２：１の割合でスキャン方向(矢印方向)に移動する。このとき、フルレートキャリッジ７３の白色ＬＥＤアレイ７４からの光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２１】
一方、第２のプラテンガラス７２Ｂは、例えば長尺の板状構造をなす透明なガラスプレートで構成される。ここで、第２のプラテンガラス７２Ｂは、第１のプラテンガラス７２Ａと同材質且つ同じ厚さにて構成されている。第２のプラテンガラス７２Ｂ上を通過する原稿の画像を読み取る原稿流し読み取りの場合には、原稿送り装置１０によって搬送される原稿がこの第２のプラテンガラス７２Ｂの上を通過する。このとき、フルレートキャリッジ７３とハーフレートキャリッジ７５とは、図１に示す実線の位置に停止した状態にある。まず、白色ＬＥＤアレイ７４によって照射され原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２のプラテンガラス７２Ｂの読み取り位置に到達した後、原稿が第２のプラテンガラス７２Ｂの読み取り位置を通過することによって、副走査方向に亘って１ページの読み取りが完了する。
【００２２】
本実施の形態では、フルレートキャリッジ７３とハーフレートキャリッジ７５とを停止させ、第２のプラテンガラス７２ＢにてＣＣＤイメージセンサ７８により原稿の第１面の読み取りを行う原稿の搬送時に、同時(時間の完全一致ではなく、同一の原稿搬送時程度の意味) にＣＩＳ５０によって、原稿の第２面の読み取りを行うことが可能である。即ち、ＣＣＤイメージセンサ７８とＣＩＳ５０とを用いて、搬送路への原稿の一度の搬送で、この原稿における表裏両面の画像を読み取ることを可能としている。
【００２３】
図２は、ＣＩＳ５０およびＣＩＳ５０近傍の構造を説明するための図である。図２に示すように、ＣＩＳ５０は、プラテンロール１９とアウトロール２０との間に設けられる。また、本実施の形態では、第２のプラテンガラス７２Ｂの上面であってプラテンロール１９よりもわずかに上流側にジャンプ台４４が取り付けられている。原稿の片面(第１面)は、このジャンプ台４４を通過して第２のプラテンガラス７２Ｂから所定距離だけ離れた状態でプラテンロール１９によって第２のプラテンガラス７２Ｂ側に付勢され、この第１面の画像がＣＣＤイメージセンサ７８にて読み込まれる。一方、ＣＩＳ５０では、原稿を搬送する搬送路を介して対向する他方の側から、片面(第２面)の画像が読み込まれる。
【００２４】
このＣＩＳ５０は、ハウジング５０ａと、このハウジング５０ａに装着されるガラス５１と、このガラス５１を透過して原稿の第２面に光を照射するＬＥＤアレイ５２と、ＬＥＤアレイ５２からの反射光を集光するセルフォックレンズ(登録商標)５３と、このセルフォックレンズ５３により集光された光を読み取るラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。
【００２５】
また、ＣＩＳ５０による画像読み取りに際して、この読み取り部を構成する搬送路に、ＣＩＳ５０の筐体から延びる制御部材５５、制御部材５５によって押し付けられた原稿を突き当てる突き当て部材６０を備えている。ただし、制御部材５５はＣＩＳ５０を介して原稿送り装置１０(図１参照)に取り付けられているが、突き当て部材６０はスキャナ装置７０(図１参照)に取り付けられている。また、この突き当て部材６０の下流側にはガイド部材６１が設けられ、このガイド部材６１と突き当て部材６０との間には開口部６３を構成し、更に、ガイド部材６１の下部であって開口部６３に連続する箇所には、原稿の表面に付着してきたごみや汚れを溜める回収部としてのごみ溜め部６２が設けられている。制御部材５５および突き当て部材６０は、原稿の搬送路に直交する方向に(即ち、原稿送り装置の前面から後面の方向に)、原稿送り装置１０の前面から後面まで、搬送路の位置に対応して設けられている。
【００２６】
ここで、制御部材５５は、ＣＩＳ５０に設けられた軸５５ａに巻き回されたくの字状の板金からなる板バネにて構成されており、制御部材５５を撓み自在とすることで、搬送されてくる原稿の厚み分を吸収できると共に、折り曲げ跡のついた原稿であっても安定して搬送できるようになっている。
また、制御部材５５の先端側は、ＣＩＳ５０による読み取り位置近傍まで伸びており、原稿と接触する部位にはヘミング曲げされた折り部５５ｂが設けられ、原稿とスムースに接触し、紙粉等の発生を防止できるようになっている。なお、制御部材５５の折り部５５ｂと突き当て部材６０との距離(原稿を通すためのギャップ)は０.１〜１.０ｍｍ程度に設定される。
【００２７】
一方、突き当て部材６０は、原稿の搬送方向上流側に設けられ、搬送される原稿を案内する搬送面６０ａと、この搬送面６０ａよりも原稿の搬送方向下流側に搬送面６０ａよりも一段下げて形成される段差面６０ｂとを有している。また、この段差面６０ｂは、セルフォックレンズ５３による光のフォーカスポイントの延長線と対向するように形成されており、段差面６０ｂ上には、二軸延伸ポリエステルフィルムからなる白基準テープ６４が貼り付けられている。したがって、白基準テープ６４は、突き当て部材６０を介してスキャナ装置７０に取り付けられていることになる。本実施の形態では、白基準テープ６４の上面が、搬送路に露出した状態で配置されている。
【００２８】
ここで、ＣＩＳ５０は、光学結像レンズにセルフォックレンズ５３を採用していることから、焦点(被写界)震度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に収めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２に示す二点鎖線矢印は、制御部材５５を設けた場合の原稿の動きを示したものである。搬送される原稿が突き当て部材６０に押し当てられながら搬送されることが理解される。すなわち、制御部材５５によって、搬送される原稿を突き当て部材６０に押し当てた状態で読み取ることで、被写界深度の浅いＣＩＳ５０を用いた場合におけるピントの甘さを改善している。
【００２９】
また、突き当て部材６０の下側であって、第１のプラテンガラス７２Ａの上部側には、この第１のプラテンガラス７２Ａに密着するように取り付けられる第１の白基準部材(第１の基準部材、原稿固定読み取り用の基準部材)としての第１の白基準板６５と、この第１のプラテンガラス７２Ａと所定の空間ａをもって離間するように取り付けられる第２の白基準部材(第２の基準部材、原稿流し読み取り用の基準部材)としての第２の白基準板６６とが設けられている。なお、これら第１の白基準板６５および第２の白基準板６６の詳細については後述する。
【００３０】
次に、図１に示す処理装置８０について説明する。
図３は、処理装置８０を説明するためのブロック図である。本実施の形態が適用される処理装置８０は、大きく、センサ(ＣＣＤイメージセンサ７８およびＣＩＳ５０)から得られた画像情報を処理する信号処理部８１と、原稿送り装置１０およびスキャナ装置７０を制御する制御部９０とを備えている。信号処理部８１は、原稿の表面(第１面)を読み取るＣＣＤイメージセンサ７８および裏面(第２面)を読み取るＣＩＳ５０のラインセンサ５４からの各々の出力に対して所定の画像処理を施している。この信号処理部８１は、ラインセンサ５４からの出力に対してアナログ信号の処理を行うＡＦＥ(Analog Front End)８２、アナログ信号をディジタル信号に変換するＡＤＣ(Analog to Digital Converter)８３を有している。但し、これらの機能は、ＣＩＳ５０の内部にて処理されるように構成することもできる。また、信号処理部８１は、ディジタル信号に対してシェーディング補正やオフセット補正等の各種処理を施す画像処理回路が２系統備えられており、表面(第１面)の画像データに対して画像処理を施す第１画像処理回路１００、裏面(第２面)の画像データに対して画像処理を施す第２画像処理回路２００を備えている。これら画像処理回路からの出力は、例えばプリンタ等のＩＯＴ(Image Output Terminal)や、パーソナルコンピュータ(ＰＣ)等のホストシステムへ出力される。
【００３１】
一方、制御部９０は、各種両面読み取りの制御や片面読み取りの制御等を含め、原稿送り装置１０およびスキャナ装置７０の全体を制御する画像読み取りコントロール９１、第１のセンサであるＣＣＤイメージセンサ７８およびＣＩＳ５０を制御するＣＣＤ/ＣＩＳコントロール９２、読み取りタイミングに合わせてＣＩＳ５０のＬＥＤアレイ５２やフルレートキャリッジ７３の白色ＬＥＤアレイ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。このような読み取りモードとしては、１パス(反転なし)による両面同時読み取りモード、反転パスを用いた反転両面読み取りモード、１パスによる片面読み取りモード等の原稿流し読み取り、あるいは、第１のプラテンガラス７２Ａ上に原稿を載置して読み取る原稿固定読み取りが考えられる。
【００３２】
次に、各画像処理回路(第１画像処理回路１００および第２画像処理回路２００)の機能および動作について説明する。
図４は、信号処理部８１の構成を更に詳述したブロック図である。第１画像処理回路１００は、全体の制御を行う第１ＣＰＵ１０１、ＣＣＤイメージセンサ７８から出力された表面画像データに対してサンプルホールドやオフセット調整、Ａ/Ｄ変換等を行うＡＦＥ１０２、また、表裏の画像データを選択して出力するためのセレクタ(ＳＥＬ)１０３を備えている。更に、シェーディング補正やライン補間(ＲＧＢの位置ずれ補間)等を実行するＡ集積回路(ＡＳＩＣ-Ａ)１１０、ＭＴＦフィルタや縮拡処理、２値化処理等を実行するＢ集積回路(ＡＳＩＣ-Ｂ)１３０を備えている。
【００３３】
一方、第２画像処理回路２００は、全体の制御を行う第２ＣＰＵ２０１、例えば工場出荷時の白基準シェーディングデータや、ＬＥＤ光量補正値を保存(格納)するフラッシュＲＯＭ(ＦＲＯＭ)２０２、ＣＩＳ５０から得られた裏面画像データに対して各種画像処理を施すＣ集積回路(ＡＳＩＣ-Ｃ)２１０、画像処理が施された裏面画像データを一旦、保持し、所定の出力タイミングに合わせてセレクタ１０３へ出力するためのメモリ２０３を備えている。本実施の形態では、裏面読み取り用の密着型イメージセンサであるＣＩＳ５０で、工場出荷時に予め得られた白基準のシェーディングデータをフラッシュＲＯＭ(ＦＲＯＭ)２０２に保存している。
【００３４】
図５は、Ａ集積回路(ＡＳＩＣ-Ａ)１１０の構成を示したブロック図である。Ａ集積回路１１０は、ＣＣＤイメージセンサ７８におけるシェーディングデータを補正するためのシェーディング補正部１１１、ＲＧＢ３色のラインセンサの位置を補正するＧＡＰ補正部１１２、黒線を補正する黒線補正部１１３、入力側階調補正をするＥＮＬ１１５、ＢＧＲ→Ｌ*,ａ*,ｂ*に変換する色空間変換部１１６を備えている。また、ＣＣＤイメージセンサ７８及びＡＦＥ１０２の駆動クロックを生成するタイミング生成部１１９、第１ＣＰＵ１０１との通信を行うＣＰＵインタフェース１２０、シェーディング補正部１１１で使用するシェーディングデータを格納するシェーディングメモリ１２１を備えている。
【００３５】
図６は、Ｂ集積回路(ＡＳＩＣ-Ｂ)１３０の構成を示したブロック図である。Ｂ集積回路１３０は、ＭＴＦ補正や平滑化を行うディジタルフィルタ部１３１、原稿搬送方向である副走査方向に対して縮小処理を施す副走査縮小部１３２、原稿搬送方向に直交する方向であってＣＣＤイメージセンサ７８の走査方向である主走査方向に対する拡大縮小処理を施す主走査拡大縮小部１３３、読み取り原稿の下地を除去する下地除去部１３５、Ｌ*,ａ*,ｂ*→Ｙ,Ｍ,Ｃ,Ｋに色空間変換するルックアップテーブル(ＬＵＴ)１３６を備えている。また、読み取り原稿の下地を検知する下地検知部１３９、第１ＣＰＵ１０１との通信を行うＣＰＵインタフェース１４０を備えている。
【００３６】
図７は、Ｃ集積回路(ＡＳＩＣ-Ｃ)２１０の構成を示したブロック図である。Ｃ集積回路２１０は、Ｏｄｄ/Ｅｖｎからなる２チャンネルの出力信号の合成を行うマルチプレックス(ＭＰＸ  Ｏ/Ｅ合成)回路２１１、シェーディングメモリ２２１に格納されたデータに基づいてシェーディング補正を施すシェーディング補正部２１２、入力階調補正を実行するＬ＊変換(ＬＵＴ)部２１３、副走査方向に対して縮小処理を施す副走査縮小部２１４、主走査方向に対する拡大縮小処理を施す主走査拡大縮小部２１５、ＭＴＦ補正や平滑化を行うフィルタ部２１６、下地検知部２２２による下地検知結果に基づいて下地除去を行う下地除去部２１７、出力階調補正を行うルックアップテーブル(ＬＵＴ)２１８、２値化を行う誤差拡散(Ｐａｃｋｉｎｇ誤差拡散)部２１９を備えている。また、第２ＣＰＵ２０１との通信を行うＣＰＵインタフェース２２３を備えている。
【００３７】
図８は、図３に示す画像読み取りコントロール９１によって実行される処理の一例を示したフローチャートである。画像読み取りコントロール９１では、まず、原稿を原稿固定読み取りするのか、原稿流し読み取りするのかが判断される(ステップ１０１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)あるいは第１のプラテンガラス７２Ａの下部に設けられたセンサ(図示せず)等によって認識することができる。また、ホストシステムからの要請や、ネットワーク等を介したユーザからの選択なども考えられる。このステップ１０１で原稿固定読み取りと判断される場合には、原稿固定(第１のプラテンガラス７２Ａに原稿を載置して固定)による片面読み取りが行われる(ステップ１０２)。この原稿固定による片面読み取りでは、ＣＣＤイメージセンサ７８による読み取りがなされる。
【００３８】
一方、ステップ１０１において原稿流し読み取りと判断される場合には、次に、搬送される原稿、すなわち、原稿トレイ１１に載置される原稿が片面原稿か否かが判断される(ステップ１０３)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１０３で片面原稿であると判断される場合には、１パス(反転パスを用いない１回だけの原稿搬送パス)による片面読み取りが行われる(ステップ１０４)。この１パスによる片面読み取りでは、ＣＣＤイメージセンサ７８による読み取りとＣＩＳ５０による読み取りとをどちらを選択しても良いが、より高画質な画像読み取りを実現する場合には、ＣＣＤイメージセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３９】
ここで、ステップ１０３で片面原稿ではない場合、即ち、両面原稿である場合には、原稿が白・黒原稿であるか否かが判断される(ステップ１０５)。このステップ１０５の判断は、ステップ１０３と同様に、ユーザからの選択または自動選択読み取り機能によって判断される。カラー原稿であってもユーザが白・黒読み取りを望む場合もある。白・黒読み取りを行わない場合、即ち、カラー読み取りを行う場合には、次に画質が重視されるか否かが判断される(ステップ１０６)。例えば、カラー写真やパンフレット等のカラー画像の場合には、一般に、読み取り速度を上げる生産性よりも画質が重視される。かかる判断もユーザの設定等によってなされる。このステップ１０６で画質を重視すると判断される場合には、反転パスによる両面読み取りが実行される(ステップ１０７)。即ち、ＣＩＳ５０による読み取りを行わず、原稿の第１面および原稿の第２面を共にＣＣＤイメージセンサ７８によって読み取るのである。これによって、原稿の第１面および原稿の第２面に対し、共に、焦点深度の深い読み取り手段を用いた高画質な両面読み取りが可能となる。
【００４０】
一方、ステップ１０５で白・黒読み取りを行う場合、または、ステップ１０６で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、反転パスを用いない、１パスによる両面同時読み取りが行われる(ステップ１０８)。即ち、ＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿詰まり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００４１】
尚、図８に示す処理フローを簡潔化し、両面原稿読み取りにおいて、白黒原稿の読み取りの場合には、ステップ１０８の両面同時読み取りを実行し、カラー原稿の場合には、ステップ１０７の反転パスによって順次、原稿を読み取るように構成することも可能である。また、原稿面の種類に応じて、これらのモードをミックスして用いることもできる。
【００４２】
ここで、図８のステップ１０２に示した原稿固定による片面読み取りモードが選択された場合には、第１のプラテンガラス７２Ａ上に載置された原稿の画像を、上述した手順でフルレートキャリッジ７３およびハーフレートキャリッジ７５を移動させながら読み込んでいく。
【００４３】
次に、原稿流し読み取りの各原稿読み取りモードにおける原稿の搬送方法について、図９および図１０を用いて説明する。
図９(ａ),(ｂ)は、図８のステップ１０４に示した１パスによる片面読み取りモードと、ステップ１０８に示した１パスによる両面同時読み取りである第２の両面読み取りモードの原稿パスを示した図である。図９(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図９(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００４４】
図１０(ａ)〜(ｄ)は、図８のステップ１０７に示した反転パスによる両面読み取り、即ち、第１の両面読み取りモードを説明するための図である。図１０(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図１０(ｂ)に示すように、インバータロール２２およびインバータピンチロール２３によってスイッチバックし、第５搬送路３５に供給される。
【００４５】
第５搬送路３５に供給された原稿は、再度、第１搬送路３１に供給される。そして、図１０(ｃ)に示すように、原稿がスキャナ装置７０のＣＣＤイメージセンサ７８によって下方から読み取られる。このとき、原稿は、図１０(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図１０(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図１０(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００４６】
この画像読み取り装置では、原稿流し読み取りの実行時において、ＣＣＤイメージセンサ７８を用いて原稿の片面(第１面)を読み取った後、原稿を反転させて他の片面(第２面)をこのＣＣＤイメージセンサ７８で順次、読み取る第１の両面読み取りモードと、このＣＣＤイメージセンサ７８と共に、ＣＣＤイメージセンサ７８とは搬送路を介して対向する他方の側に設けられるＣＩＳ５０を用いて、原稿を一度の搬送で表裏両面(第１面および第２面)を読み取る第２の両面読み取りモードを準備した。そして、これらのモードを、必要に応じ、自動的に、またはユーザの指定等に基づいて、選択可能に構成している。これによって、例えば、白黒の出力かカラーの出力か、スピード(生産性)を重視するのか、画質を重視するのか等の用途に応じて、両面読み取りモードを適切に選択し、これらのモードを利用することが可能となっている。また、本実施の形態では、第１のプラテンガラス７２Ａを設けると共にスキャナ装置７０を構成するフルレートキャリッジ７３およびハーフレートキャリッジ７５を主走査方向に移動可能に配設することで、第２のプラテンガラス７２Ｂ上を搬送される原稿の画像を原稿流し読み取りできる他、第１のプラテンガラス７２Ａ上に載置された原稿の画像を原稿固定読み取りすることも可能となっている。
【００４７】
また、この画像読み取り装置では、上述した各原稿読み取りモードによる原稿の画像読み取りジョブが開始される前に、ＣＩＳ５０およびスキャナ装置７０それぞれにおいて、シェーディング補正に使用されるシェーディングデータの取得が行われる。
まず、ＣＩＳ５０側におけるシェーディングデータの取得動作について説明する。ここで、ＣＩＳ５０は、原稿流し読み取り時にのみ使用される。ＣＩＳ５０では、原稿の読み取り動作を開始する前に、まず、ＬＥＤアレイ５２を点灯させて白基準テープ６４からの反射光をセルフォックレンズ５３およびラインセンサ５４を介して反射データとして取得する。次に、取得された白基準テープ６４からの反射データに基づいて処理装置８０においてシェーディングデータを生成し、生成したシェーディングデータをＣ集積回路２１０に設けられたシェーディングメモリ２２１に格納する。そして、実際の原稿読み取り動作時には、ＣＩＳ５０で原稿を読み取って得られた画像データを、シェーディング補正部２１２において、シェーディングメモリ２２１に格納されたシェーディングデータを用いて補正し、ＬＥＤアレイ５２の光量分布に起因するむらを除去した後、ホストシステムに出力する。なお、このシェーディングデータの取得は、例えばジョブの開始前や画像読み取りを行うシート毎など、適宜タイミングに設定することが可能である。
【００４８】
次に、スキャナ装置７０側におけるシェーディングデータの取得について説明する。ここで、本実施の形態では、原稿固定読み取りおよび原稿流し読み取りの両者においてスキャナ装置７０が使用されており、原稿固定読み取りの場合と原稿流し読み取りの場合とで、シェーディングデータを取得する対象となる白基準板を異ならせている。
【００４９】
原稿固定読み取りを行う場合、すなわち、第１のプラテンガラス７２Ａ上に載置された原稿の画像を読み取る場合には、原稿の読み取り動作を開始する前に、まず、第１ミラー７６Ａが第１の白基準板６５の下部に位置する位置α(第１の読み取り位置に対応する位置)までフルレートキャリッジ７３およびハーフレートキャリッジ７５を移動させる。次に、フルレートキャリッジ７３に設けられた白色ＬＥＤアレイ７４を点灯させて第１の白基準板６５からの反射光を第１ミラー７６Ａ、第２ミラー７６Ｂ、第３ミラー７６Ｃ、結像用レンズ７７およびＣＣＤイメージセンサ７８を介して反射データとして取得する。次に、取得された第１の白基準板６５からの反射データに基づいてシェーディングデータ取得手段としての処理装置８０においてシェーディングデータを生成し、生成したシェーディングデータをＡ集積回路１１０に設けられたシェーディングメモリ１２１に格納する。そして、実際の原稿読み取り動作時には、第１ミラー７６Ａが原稿(図示せず)の端部下部に位置する位置β(第１の読み取り位置)までフルレートキャリッジ７３およびハーフレートキャリッジ７５を移動させ、その後、フルレートキャリッジ７３およびハーフレートキャリッジ７５を移動させながら画像の読み取りを行う。そして、スキャナ装置７０(ＣＣＤイメージセンサ７８)で原稿を読み取って得られた画像データを、シェーディング補正手段としてのシェーディング補正部１１１において、シェーディングメモリ１２１に格納されたシェーディングデータを用いて補正し、白色ＬＥＤアレイ７４の光量分布に起因するむらを除去した後、ホストシステムに出力する。
【００５０】
一方、原稿流し読み取りを行う場合、すなわち、第２のプラテンガラス７２Ｂ上を通過する原稿の画像を読み取る場合には、原稿の読み取り動作を開始する前に、まず、第１ミラー７６Ａが第２の白基準板６６の下部に位置する位置γ(第２の読み取り位置に対応する位置)までフルレートキャリッジ７３およびハーフレートキャリッジ７５を移動させる。次に、フルレートキャリッジ７３に設けられた白色ＬＥＤアレイ７４を点灯させて第２の白基準板６６からの反射光を第１ミラー７６Ａ、第２ミラー７６Ｂ、第３ミラー７６Ｃ、結像用レンズ７７およびＣＣＤイメージセンサ７８を介して反射データとして取得する。次に、取得された第２の白基準板６６からの反射データに基づいて処理装置８０においてシェーディングデータを生成し、生成したシェーディングデータをＡ集積回路１１０に設けられたシェーディングメモリ１２１に格納する。そして、実際の原稿読み取り動作時には、第１ミラー７６Ａが原稿(図示せず)の端部下部に位置する位置δ(第２の読み取り位置)までフルレートキャリッジ７３およびハーフレートキャリッジ７５を移動させ、その後、フルレートキャリッジ７３およびハーフレートキャリッジ７５を静止させながら画像の読み取りを行う。そして、スキャナ装置７０(ＣＣＤイメージセンサ７８)で原稿を読み取って得られた画像データを、シェーディング補正部１１１において、シェーディングメモリ１２１に格納されたシェーディングデータを用いて補正し、白色ＬＥＤアレイ７４の光量分布に起因するむらを除去した後、ホストシステムに出力する。
【００５１】
次に、原稿固定読み取りの場合と原稿流し読み取りの場合とで、スキャナ装置７０側のシェーディングデータ取得に用いられる白基準板を異ならせている理由について説明する。
図１１は、原稿固定読み取りおよび原稿流し読み取りにおける原稿の読み取り高さと第１の白基準板６５および第２の白基準板６６の取り付け高さとの関係を示す図である。本実施の形態では、原稿固定読み取りに使用される第１のプラテンガラス７２Ａの上面の高さおよび原稿流し読み取りに使用される第２のプラテンガラス７２Ｂの上面の高さが、第１の高さＨ１に設定されている。そして、原稿固定読み取り時には、原稿が第１のプラテンガラス７２Ａ上に載置されるため、この場合の原稿面の高さは第１の高さＨ１となる。一方で、原稿流し読み取り時には、原稿が第２のプラテンガラス７２Ｂに取り付けられたジャンプ台４４によってジャンプし、第２のプラテンガラス７２Ｂから浮いた状態で搬送されるため、この場合の原稿面の高さは第２の高さＨ２となる。
【００５２】
ここで、図１２は、スキャナ装置７０側に設けられる白色ＬＥＤアレイ７４の構成およびその照度分布の一例を示す図である。白色ＬＥＤアレイ７４は、主走査方向に向かって延びるＬＥＤ基板７４ａ上に、多数の点光源としての白色ＬＥＤ７４ｂを並列配置して構成されている。なお、同図において楕円形状で示されているのは、個々の白色ＬＥＤ７４ｂからの照度が同一となる部位である。これら各白色ＬＥＤ７４ｂは点光源であるため、白色ＬＥＤアレイ７４全体としての照度分布は、個々の白色ＬＥＤ７４ｂの照度分布を合成したものとなり、全体的に波打ったものとなる。また、白色ＬＥＤアレイ７４からの距離によって、照度分布における波打ちの大きさが異なる。このため、同図に示すように、上述した第１の高さＨ１における照度分布と、第２の高さＨ２における照度分布とでは、異なったプロファイルを持つことになってしまう。
【００５３】
そこで、本実施の形態では、図１１に示すように、第１の白基準板６５の白基準面６５ａを原稿固定読み取り時の原稿面の位置すなわち第１の高さＨ１と一致させると共に、第２の白基準板６６の白基準面６６ａを原稿流し読み取り時の原稿面の位置すなわち第２の高さＨ２と一致させるように、第１の白基準板６５および第２の白基準板６６を取り付けている。そして、原稿固定読み取りを行う場合には第１の白基準板６５を、原稿流し読み取りを行う場合には第２の白基準板６６を読み取ってシェーディングデータを取得するようにしている。これにより、原稿固定読み取りあるいは原稿流し読み取りにおける読み取り条件と同一の条件にてシェーディングデータを取得できることとなり、得られたシェーディングデータを用いてシェーディング補正を施すことにより、点光源の集合体である白色ＬＥＤアレイ７４を用いることによって生じる照度分布の違いに起因するむらを抑制することができる。つまり、読み取り条件の違いに応じた適切なシェーディング補正を行うことができる。ここで、本実施の形態では、第１のプラテンガラス７２Ａ側に第２の白基準板６６を装着しているが、第１のプラテンガラス７２Ａおよび第２のプラテンガラス７２Ｂは同材質且つ同じ厚さであることから、原稿を原稿流し読み取りする場合および第２の白基準板６６を読み取る場合の読み取り条件を略同じにすることが可能であり、特に問題は生じない。
【００５４】
また、本実施の形態では、第１のプラテンガラス７２Ａを介して白色ＬＥＤアレイ７４と対向する側に第１の白基準板６５および第２の白基準板６６を取り付けているため、埃等がこれら第１の白基準板６５の白基準面６５ａや第２の白基準板６６の白基準面６６ａに直接付着するおそれもない。さらに、本実施の形態では、ＣＩＳ５０に対向配置される突き当て部材６０に第１の白基準板６５および第２の白基準板６６を装着しているため、装置をコンパクト化することができる。さらにまた、本実施の形態では、原稿固定読み取り用に第１の白基準板６５を、原稿流し読み取り用に第２の白基準板６６を持たせているため、白色ＬＥＤアレイ７４を構成する個々の白色ＬＥＤ７４ｂの発光強度の強弱、配置間隔等によって生じる照度分布のプロファイルを考慮しなくてもよくなり、装置の光学設計が容易となる。
【００５５】
―実施の形態２―
本実施の形態は、実施の形態１と略同様であるが、第２の白基準板６６を第１のプラテンガラス７２Ａの上部ではなく、第２のプラテンガラス７２Ｂの上部に配置するようにしたものである。なお、本実施の形態において、実施の形態１と同様のものについては、同じ符号を付してその詳細な説明を省略する。
図１３は、ＣＩＳ５０およびＣＩＳ５０近傍の構造を説明するための図である。本実施の形態では、第２のプラテンガラス７２Ｂの上面であってプラテンロール１９よりもわずかに上流側に取り付けられるジャンプ台４４が、湾曲した原稿の案内面を有した構造となっており、その下部には、第２のプラテンガラス７２Ｂと所定の空間ａをもって離間するように取り付けられる第２の白基準板６６が装着されている。なお、この第２の白基準板６６の下面である白基準面６６ａが原稿流し読み取り時の原稿面と同じ高さに設定されている点は実施の形態１と同様である。
【００５６】
そして、本実施の形態においても、原稿固定読み取りを行う場合には第１の白基準板６５を、原稿流し読み取りを行う場合には第２の白基準板６６を読み取ってシェーディングデータを取得する。これにより、原稿固定読み取りあるいは原稿流し読み取りにおける読み取り条件と同一の条件にてシェーディングデータを取得できることとなり、得られたシェーディングデータを用いてシェーディング補正を施すことにより、点光源の集合体である白色ＬＥＤアレイ７４を用いることによって生じる照度分布の違いに起因するむらを抑制することが可能となる。特に、本実施の形態では、第２の白基準板６６を第２のプラテンガラス７２Ｂ側に設けているため、原稿流し読み取りにおける読み取り条件と全く同一の条件で第２の白基準板６６を読み取って原稿流し読み取り用のシェーディングデータを取得することができ、より正確なシェーディング補正を行うことが可能となる。従って、この場合には、要求される仕様や性能に応じて、第１のプラテンガラス７２Ａおよび第２のプラテンガラス７２Ｂの材質や厚さを異ならせることも可能である。
【図面の簡単な説明】
【００５７】
【図１】本実施の形態が適用される画像読み取り装置を示した図である。
【図２】ＣＩＳおよびＣＩＳ近傍の構造を説明するための図である。
【図３】処理装置を説明するためのブロック図である。
【図４】信号処理部の構成を詳述したブロック図である。
【図５】Ａ集積回路(ＡＳＩＣ-Ａ)の構成を示したブロック図である。
【図６】Ｂ集積回路(ＡＳＩＣ-Ｂ)の構成を示したブロック図である。
【図７】Ｃ集積回路(ＡＳＩＣ-Ｃ)の構成を示したブロック図である。
【図８】画像読み取りコントロールによって実行される処理の一例を示したフローチャートである。
【図９】(ａ),(ｂ)は、１パスによる片面読み取りモードと、１パスによる両面同時読み取りである第２の両面読み取りモードの原稿パスを説明するための図である。
【図１０】(ａ)〜(ｄ)は、反転パスによる両面読み取りを説明するための図である。
【図１１】原稿固定読み取りおよび原稿流し読み取りにおける原稿の読み取り高さと第１の白基準板および第２の白基準板の取り付け高さとの関係を示す図である。
【図１２】スキャナ装置側に設けられる白色ＬＥＤアレイの構成およびその照度分布の一例を示す図である。
【図１３】実施の形態２におけるＣＩＳおよびＣＩＳ近傍の構造を説明するための図である。
【符号の説明】
【００５８】
１０…原稿送り装置、１１…原稿トレイ、１９…プラテンロール、２０…アウトロール、３１…第１搬送路、３２…第２搬送路、３３…第３搬送路、３４…第４搬送路、３５…第５搬送路、３６…第６搬送路、４０…排出トレイ、５０…ＣＩＳ(Contact Image Sensor)、５１…ガラス、５２…ＬＥＤ(Light Emitting Diode)アレイ、５３…セルフォックレンズ、５４…ラインセンサ、５５…制御部材、６０…突き当て部材、６１…ガイド部材、６２…ごみ溜め部、６３…開口部、６４…白基準テープ、７０…スキャナ装置、７１…装置フレーム、７２Ａ…第１のプラテンガラス、７２Ｂ…第２のプラテンガラス、７３…フルレートキャリッジ、７４…白色ＬＥＤアレイ、７４ａ…ＬＥＤ基板、７４ｂ…白色ＬＥＤ、７５…ハーフレートキャリッジ、７６Ａ…第１ミラー、７６Ｂ…第２ミラー、７６Ｃ…第３ミラー、７７…結像用レンズ、７８…ＣＣＤイメージセンサ、８０…処理装置、８１…信号処理部、９０…制御部、１００…第１画像処理回路、１１０…Ａ集積回路(ＡＳＩＣ-Ａ)、１１１…シェーディング補正部、１３０…Ｂ集積回路(ＡＳＩＣ-Ｂ)、２００…第２画像処理回路、２１０…Ｃ集積回路(ＡＳＩＣ-Ｃ)、２１２…シェーディング補正部、２２１…シェーディングメモリ
【図１】
2005277581.tif 000003
【図２】
2005277581.tif 000004
【図３】
2005277581.tif 000005
【図４】
2005277581.tif 000006
【図５】
2005277581.tif 000007
【図６】
2005277581.tif 000008
【図７】
2005277581.tif 000009
【図８】
2005277581.tif 000010
【図９】
2005277581.tif 000011
【図１０】
2005277581.tif 000012
【図１１】
2005277581.tif 000013
【図１２】
2005277581.tif 000014
【図１３】
2005277581.tif 000015